(57)【要約】【課題】火災時に、開口部を形成する枠に対して開口部の内方側で、加熱発泡材により、枠と障子の間に発生する隙間を塞いで、建具の防火性能を向上させる。【解決手段】建具１は、開口部２Ａを形成する枠５と、開口部２Ａに配置される障子３と、対向部材３０と、加熱発泡材４１〜４５を備えている。対向部材３０は、枠５から開口部２Ａの内方側に突出して障子３に対向する。加熱発泡材４１〜４５は、対向部材３０に設けられて、障子３と対向部材３０の間で発泡可能である。【選択図】  図１
2018096117.tif 000002
【特許請求の範囲】
【請求項１】
開口部を形成する枠と、前記開口部に配置される障子と、を備えた建具であって、
前記枠から前記開口部の内方側に突出して前記障子に対向する対向部材と、
前記対向部材に設けられて前記障子と前記対向部材の間で発泡可能な加熱発泡材と、
を備えた建具。
【請求項２】
請求項１に記載された建具において、
前記対向部材は、前記障子との間に、前記加熱発泡材の発泡空間を形成し、
前記加熱発泡材は、前記発泡空間に配置される建具。
【請求項３】
請求項１又は２に記載された建具において、
前記対向部材は、前記障子に向かって開口する溝部を有し、
前記加熱発泡材は、前記溝部に設けられる建具。
【請求項４】
請求項１又は２に記載された建具において、
前記対向部材は、前記枠の見付け方向に沿って形成されて前記障子に対向する対向部と、前記対向部から前記障子に向かって突出する突出部と、を有し、
前記加熱発泡材は、前記対向部と前記突出部に設けられる建具。
【請求項５】
請求項４に記載された建具において、
前記対向部の前記枠側に前記突出部が形成され、
前記加熱発泡材は、前記障子に対向する前記突出部の対向面に設けられる建具。
【請求項６】
請求項４に記載された建具において、
前記対向部の前記開口部の内方側に前記突出部が形成され、
前記加熱発泡材は、前記障子に対向する前記突出部の対向面に設けられる建具。
【発明の詳細な説明】
【技術分野】
【０００１】
本発明は、加熱発泡材を備えた建具に関する。
【背景技術】
【０００２】
建物に設置される建具では、枠体の枠により形成される開口部に障子が配置されて、障子により枠体の開口部が閉鎖される。ところが、火災時には、火炎等が枠と障子の間の空間（障子の外周側の空間）を通過して流通することがある。これに対し、従来、枠と障子の間の空間に加熱発泡材を設けた建具が知られている（特許文献１参照）。
【０００３】
特許文献１に記載された従来の建具では、加熱発泡材が枠と障子の間の空間で発泡して、火炎等の通過が加熱発泡材により抑制される。しかしながら、枠と障子の間には、比較的大きな空間が形成される傾向があり、枠と障子の間の隙間を塞ぎつつ、枠と障子の間の空間に加熱発泡材を充填するためには工夫を要する。枠と障子の間に隙間が発生する場合には、火炎等の通過を抑制する性能に影響が生じる虞がある。
【０００４】
火災時には、熱により、軟化や熱膨張等が生じて、枠と障子が変形することがある。枠と障子が変形した場合には、枠と障子の間に隙間が発生する虞がある。特に、加熱発泡材の発泡完了後に枠と障子が変形するときには、隙間を加熱発泡材により塞げず、枠と障子の間に隙間が発生し易い。このような隙間に対処して、建具の防火性能をより向上させるため、枠と障子の間の空間以外の箇所で、枠と障子の間に発生する隙間を塞ぐことが要求されている。
【先行技術文献】
【特許文献】
【０００５】
【特許文献１】特開２０１５−４８６９２号公報
【発明の概要】
【発明が解決しようとする課題】
【０００６】
本発明は、前記従来の問題に鑑みなされたもので、その目的は、火災時に、開口部を形成する枠に対して開口部の内方側で、加熱発泡材により、枠と障子の間に発生する隙間を塞いで、建具の防火性能を向上させることである。
【課題を解決するための手段】
【０００７】
本発明は、開口部を形成する枠と、前記開口部に配置される障子と、を備えた建具である。前記建具は、前記枠から前記開口部の内方側に突出して前記障子に対向する対向部材と、前記対向部材に設けられて前記障子と前記対向部材の間で発泡可能な加熱発泡材と、を備える。
【発明の効果】
【０００８】
本発明によれば、火災時に、開口部を形成する枠に対して開口部の内方側で、加熱発泡材により、枠と障子の間に発生する隙間を塞いで、建具の防火性能を向上させることができる。
【図面の簡単な説明】
【０００９】
【図１】本実施形態の建具の断面図である。
【図２】本実施形態の建具の断面図である。
【図３】図１の一部を拡大して示す断面図である。
【図４】第６、第７加熱発泡材の発泡について説明するための断面図である。
【図５】第６、第７加熱発泡材の発泡について説明するための断面図である。
【図６】第６、第７加熱発泡材の発泡について説明するための断面図である。
【図７】本実施形態の建具における火災時の状態の例を示す断面図である。
【図８】本実施形態の建具における火災時の状態の例を示す断面図である。
【発明を実施するための形態】
【００１０】
本発明の建具の一実施形態について、図面を参照して説明する。
以下では、外倒し窓を例にとり、本実施形態の建具について説明する。
【００１１】
図１、図２は、本実施形態の建具１（外倒し窓）の断面図であり、建具１の概略構成を模式的に示している。図１は、建具１を垂直方向に切断した縦断面図であり、図２は、建具１を水平方向に切断した横断面図である。
図示のように、建具１は、建物の開口部に設置されて、建物の室外と室内の間に配置される。また、建具１は、枠体２と、開閉可能な開閉障子である障子３を備えている。障子３の開閉（図２の矢印Ｈ、Ｔ参照）により、枠体２の開口部２Ａが開閉される。
【００１２】
枠体２は、建具１の方形状の開口枠であり、障子３を囲んで、開口部２Ａに障子３を保持する。また、枠体２は、枠組みされた４つの枠４〜６（上枠４、下枠５、一対の縦枠６）を有し、枠４〜６により、方形状の開口部２Ａを形成する。枠４〜６は、枠体２を構成する長尺な枠材であり、方形状に組み合わされて、障子３の縁部に沿って配置される。なお、各枠４〜６の方向に関し、見込み方向とは建具１の室内外方向であり、見付け方向とは見込み方向に直交する方向である。建具１を室内側又は室外側からみたときに、上下方向に長尺な縦枠６等では、その長手方向に直交する左右方向が見付け方向であり、左右方向に長尺な上枠４及び下枠５等では、その長手方向に直交する上下方向が見付け方向である。
【００１３】
障子３は、各枠４〜６に対して、枠体２の開口部２Ａの内方側（以下、単に、開口部２Ａの内方側という）に配置されて、枠４〜６とともに空間１０〜１２を区画する。空間１０〜１２は、障子３と枠４〜６の間に形成され、障子３に対して、枠体２の開口部２Ａの外方側（以下、単に、開口部２Ａの外方側という）に設けられる。開口部２Ａの内方側は、各枠４〜６の見付け方向における開口部２Ａの内部側（内方側）であり、開口部２Ａの外方側は、各枠４〜６の見付け方向における開口部２Ａの外部側（外方側）である。
【００１４】
枠４〜６は、板状の見込み部４Ａ〜６Ａと、開口部２Ａの内方側に突出する立上り部４Ｂ〜６Ｂを有する。見込み部４Ａ〜６Ａは、各枠４〜６の見込み方向に沿って形成され、障子３に対して開口部２Ａの外方側に配置される。立上り部４Ｂ〜６Ｂは、それぞれ見込み部４Ａ〜６Ａから突出する凸形状に形成され、障子３に対して各枠４〜６の見込み方向の一方側（ここでは、室内側）に配置される。
【００１５】
上枠４の立上り部４Ｂと縦枠６の立上り部６Ｂは、板状の突片であり、下枠５の立上り部５Ｂは、中空状の凸部である。立上り部４Ｂ〜６Ｂは、それぞれの先端部に設けられたＡＴ材（止水材）１３を有し、障子３が閉じた状態で、ＡＴ材１３で障子３の室内側の面に接触する。障子３の室内側で、枠４〜６は、立上り部４Ｂ〜６Ｂにより、障子３と枠４〜６の間の部分をシールする。
【００１６】
障子３は、方形状の開閉体であり、枠体２に開閉可能に取り付けられて、枠体２の開口部２Ａに配置される。また、障子３は、方形状の框体２０と、框体２０内に配置された方形状のパネル体２１を有する。框体２０は、枠組みされた４つの框２２〜２４（上框２２、下框２３、一対の縦框２４）を有する。框２２〜２４は、框体２０を構成する長尺な框材であり、方形状に組み合わされて、パネル体２１の縁部に沿って配置される。パネル体２１は、複数のガラス板を有する複層ガラスであり、框体２０に嵌め込まれる。
【００１７】
枠体２の立上り部４Ｂ〜６Ｂが框２２〜２４の室内側まで立上り、立上り部４Ｂ〜６ＢのＡＴ材１３が框２２〜２４に接触する。框２２〜２４は、板状の外周部２２Ａ〜２４Ａと、開口部２Ａの外方側に突出する突片２２Ｂ〜２４Ｂを有する。外周部２２Ａ〜２４Ａは、障子３の外周となる部分であり、突片２２Ｂ〜２４Ｂは、外周部２２Ａ〜２４Ａの室外側の端部から枠４〜６に向かって突出する。障子３（框２２〜２４）の外周部２２Ａ〜２４Ａは、枠４〜６の見込み部４Ａ〜６Ａに対して開口部２Ａの内方側に配置されて、見込み部４Ａ〜６Ａに対向する。
【００１８】
障子３が閉じた状態で、空間１０〜１２は、見込み部４Ａ〜６Ａ、立上り部４Ｂ〜６Ｂ、外周部２２Ａ〜２４Ａ、突片２２Ｂ〜２４Ｂにより区画されて形成される。また、上框２２の突片２２Ｂは、上枠４の見込み部４Ａに設けられたＡＴ材１３に接触する。縦框２４の突片２４Ｂは、先端部に設けられたＡＴ材１３を有し、ＡＴ材１３で縦枠６の見込み部６Ａに接触する。
【００１９】
下框２３の外周部２３Ａは、障子３の連結部であり、ヒンジ１４により下枠５の見込み部５Ａに連結される。ヒンジ１４は、空間１１内に配置されて、下枠５（見込み部５Ａ）と下框２３（突片２３Ｂ、外周部２３Ａ）に取り付けられる。障子３は、ヒンジ１４により下枠５に回動可能に連結され、ヒンジ１４を中心に室外側と枠体２側に回動する（図２の矢印Ｈ、Ｔ参照）。障子３の回動により、障子３が開閉される。その際、空間１０内に設けられた開閉機構１５により、障子３の開閉が操作される。
【００２０】
図３は、図１の一部を拡大して示す断面図であり、枠体２の下枠５と障子３の下框２３を示している。
図示のように、建具１は、枠体２の開口部２Ａを形成する枠（ここでは、下枠５）と、開口部２Ａに配置される障子３と、障子３に対向して配置される対向部材３０と、複数の加熱発泡材（第１〜第７加熱発泡材４１〜４７）を備えている。第１〜第７加熱発泡材４１〜４７は、帯状の熱膨張耐火材であり、加熱されたときに発泡して膨張する。第１〜第５加熱発泡材４１〜４５は、対向部材３０に設けられ、第６、第７加熱発泡材４６、４７は、障子３の下框２３と下枠５に設けられる。
【００２１】
対向部材３０は、下枠５から開口部２Ａの内方側に突出し、障子３に対して下枠５の見込み方向の一方側に配置される。また、対向部材３０は、障子３から下枠５の見込み方向に離して配置されて、下枠５の見込み方向において障子３に対向する。対向部材３０は、下枠５の見込み部５Ａ、障子３の外周部２３Ａ、及び、空間１１よりも開口部２Ａの内方側に位置し、枠体２の開口部２Ａで、障子３に沿って配置される。ここでは、対向部材３０は、ビス１６により、立上り部５Ｂの突出方向の先端部に取り付けられて、立上り部５Ｂから開口部２Ａの内方側に突出する。対向部材３０は、障子３（下框２３）に対して室内側に配置されて、障子３の室内側の面に沿って配置される。
【００２２】
対向部材３０は、一方の縦枠６から他方の縦枠６まで、下枠５の長手方向に沿って配置されて、一対の縦枠６の間の部分の全体に亘って設けられる。第１〜第５加熱発泡材４１〜４５は、対向部材３０の長手方向に沿って配置されて、貼り付けにより、対向部材３０に取り付けられる。第１〜第５加熱発泡材４１〜４５は、障子３と対向部材３０の間で発泡可能になっている。火災が発生したときに、第１〜第５加熱発泡材４１〜４５は、加熱により発泡して、対向部材３０から障子３に向かって膨張する。
【００２３】
対向部材３０は、第１〜第５加熱発泡材４１〜４５の発泡空間３１を形成する。発泡空間３１は、対向部材３０と障子３により区画されて、対向部材３０と障子３の間に形成される。第１〜第５加熱発泡材４１〜４５は、発泡空間３１を区画する対向部材３０の区画面に取り付けられて、発泡空間３１に配置される。また、対向部材３０は、障子３に対向する対向部３２と、突出部３３、３４と、凹状の溝部３５と、カバー部材３６を有する。ここでは、対向部材３０は、一対の突出部（第１突出部３３、第２突出部３４）を有する。第１〜第５加熱発泡材４１〜４５は、対向部３２と突出部３３、３４に設けられて、対向部材３０の障子３側の全面に配置される。
【００２４】
対向部３２は、対向部材３０の障子３側に位置する平面部であり、下枠５の見付け方向に沿って形成される。対向部３２は、第１突出部３３と第２突出部３４の間に形成され、第１突出部３３と第２突出部３４は、対向部３２から障子３に向かって突出する。第１突出部３３と第２突出部３４は、屈曲した板状の突片であり、対向部３２からの突出部方向の先端部に形成された屈曲部３３Ａ、３４Ａと、障子３に対向する対向面３３Ｂ、３４Ｂを有する。
【００２５】
第１突出部３３は、対向部３２の開口部２Ａの内方側に形成された開口部側突出部であり、障子３側において開口部２Ａの内方側に屈曲する。第１突出部３３の屈曲部３３Ａは、第１突出部３３の障子３側で屈曲した部分であり、障子３に対向する。第１突出部３３の対向面３３Ｂは、屈曲部３３Ａの障子３側の平面（第１突出部３３の先端面）であり、対向部３２よりも障子３に近い位置で、障子３に対向する。カバー部材３６は、第１突出部３３の開口部２Ａの内方側に配置されて、第１突出部３３の屈曲部３３Ａと対向部材３０の開口部２Ａの内方側の部分（開口部側部３０Ａ）とに装着される。カバー部材３６により、空所部３３Ｃが、第１突出部３３の開口部２Ａの内方側に、かつ、第１突出部３３とカバー部材３６の間に形成される。
【００２６】
第２突出部３４は、対向部３２の下枠５側に形成された枠側突出部であり、障子３側において下枠５側に屈曲する。第２突出部３４の屈曲部３４Ａは、第２突出部３４の障子３側で屈曲した部分であり、障子３に対向する。第２突出部３４の対向面３４Ｂは、屈曲部３４Ａの障子３側の平面（第２突出部３４の先端面）であり、対向部３２よりも障子３に近い位置で、障子３に対向する。屈曲部３４Ａが下枠５に接触することで、空所部３４Ｃが、第２突出部３４の下枠５側に、かつ、第２突出部３４と下枠５の間に形成される。
【００２７】
対向部材３０の溝部３５は、対向部３２と突出部３３、３４により、対向部材３０の障子３側の部分に形成されて、障子３に対向する。１つの溝部３５が、対向部材３０に形成されて、対向部材３０及び下枠５の長手方向に沿って延びる。また、溝部３５は、第１突出部３３と第２突出部３４の間に形成されて、障子３に向かって開口する。第１〜第３加熱発泡材４１〜４３は、溝部３５及び対向部材３０の長手方向に沿って、溝部３５に設けられる。
【００２８】
溝部３５内で、第１〜第３加熱発泡材４１〜４３は、溝部３５の底面（溝底面３５Ａ）と、溝部３５の壁面（溝壁面３５Ｂ、３５Ｃ）に設けられる。具体的には、第１加熱発泡材４１は、障子３に対向する溝底面３５Ａに設けられ、第２、第３加熱発泡材４２、４３は、溝底面３５Ａから障子３に向かって突出する一対の溝壁面３５Ｂ、３５Ｃに設けられる。
【００２９】
溝部３５の溝底面３５Ａは、対向部３２の障子３側の面であり、溝部３５の溝壁面３５Ｂ、３５Ｃは、突出部３３、３４の溝部３５内に位置する面である。従って、第１〜第３加熱発泡材４１〜４３は、対向部３２と、一対の突出部３３、３４の互いに対向する面に設けられている。また、第２、第３加熱発泡材４２、４３は、第１加熱発泡材４１の縁部に沿って配置されて、溝部３５内で互いに対向して配置される。
【００３０】
第４加熱発泡材４４は、障子３に対向する第１突出部３３の対向面３３Ｂに設けられ、第５加熱発泡材４５は、障子３に対向する第２突出部３４の対向面３４Ｂに設けられる。突出部３３、３４と障子３の間の発泡空間３１は、対向部３２と障子３の間の発泡空間３１よりも狭い。第４、第５加熱発泡材４４、４５は、第１〜第３加熱発泡材４１〜４３よりも障子３に近い位置に配置される。第１〜第５加熱発泡材４１〜４５は、対向部材３０の障子３側の部分のみに設けられている。そのため、対向部材３０を室内側からみたときに、第１〜第５加熱発泡材４１〜４５は、対向部材３０により遮蔽されて、みえないようになっている。
【００３１】
第６、第７加熱発泡材４６、４７は、それぞれ下框２３と下枠５の長手方向に沿って配置されて、貼り付けにより、下框２３と下枠５に取り付けられる。第６、第７加熱発泡材４６、４７は、下枠５と障子３の間の空間１１内で対向して配置されて、空間１１内で発泡可能になっている。第６加熱発泡材４６は、下框２３の突片２３Ｂに取り付けられ、第７加熱発泡材４７は、下枠５の立上り部５Ｂに取り付けられている。
【００３２】
図４〜図６は、第６、第７加熱発泡材４６、４７の発泡について説明するための断面図であり、対向部材３０がないときの例を図３と同様に示している。
図示のように、火災が発生したときに、第６、第７加熱発泡材４６、４７は、加熱により、下枠５と障子３の間の空間１１内で発泡して、空間１１内で膨張する（図４、図５参照）。膨張した第６、第７加熱発泡材４６、４７は、空間１１に充填される。その状態で、例えば、下框２３が火災の熱により変形すると（図６参照）、ＡＴ材１３の位置で、下框２３が下枠５の立上り部５Ｂから離れることがある。この場合には、下枠５と障子３の間に隙間７が発生する虞がある。
【００３３】
隙間７は、ＡＴ材１３の位置に発生し、下框２３と下枠５の立上り部５Ｂの間に形成される。また、第６、第７加熱発泡材４６、４７の発泡完了後に下框２３が変形すると、第６、第７加熱発泡材４６、４７が隙間７に充填されず、第６、第７加熱発泡材４６、４７が下框２３から剥離することもある。この場合には、火災に伴い発生する発生物（火炎、煙、熱、ガス等）が、第６、第７加熱発泡材４６、４７と下框２３の間の部分、及び、下枠５と障子３の間の隙間７を通過して流通する虞がある。これに対し、建具１（図３参照）では、対向部材３０の第１〜第５加熱発泡材４１〜４５により、隙間７が塞がれる。
【００３４】
図７、図８は、本実施形態の建具１における火災時の状態の例を示す断面図であり、下枠５、障子３、及び、対向部材３０を図３と同様に示している。
図示のように、火災が発生したときに、第６、第７加熱発泡材４６、４７が空間１１内で発泡するとともに、第１〜第５加熱発泡材４１〜４５が障子３と対向部材３０の間で発泡する（図７参照）。膨張した第１〜第５加熱発泡材４１〜４５は、障子３と対向部材３０の間の部分に充填されて、障子３と対向部材３０の間の部分を塞ぐ。その際、第１〜第５加熱発泡材４１〜４５は、発泡空間３１内で発泡して、発泡空間３１に充填される。
【００３５】
下枠５と障子３の間に隙間７が発生したときには（図８参照）、発泡空間３１は、隙間７を通して、下枠５と障子３の間の空間１１に繋がる。この場合に、空間１１の外部で、隙間７が第１〜第５加熱発泡材４１〜４５により覆われる。対向部材３０により、第１〜第５加熱発泡材４１〜４５の発泡空間３１が制限されて、第１〜第５加熱発泡材４１〜４５が制限された発泡空間３１内で発泡する。そのため、第１〜第５加熱発泡材４１〜４５の密度が高くなり、第１〜第５加熱発泡材４１〜４５が障子３と対向部材３０の間の部分（発泡空間３１）内に隙間なく充填される。第１〜第５加熱発泡材４１〜４５は、下枠５に対して開口部２Ａの内方側で隙間７を塞ぐ。
【００３６】
対向部材３０は、障子３に対して室内側に配置されており、建具１の室外側で火災が発生したときに、対向部材３０の温度は、下枠５と障子３の温度よりも遅く上昇する。また、対向部材３０は、下枠５から突出しており、下枠５と障子３よりも放熱し易い。従って、対向部材３０の温度は、下枠５と障子３に比べて上昇し難く、第１〜第５加熱発泡材４１〜４５は、第６、第７加熱発泡材４６、４７よりも遅く発泡する。これに伴い、下框２３が変形したときに、第１〜第５加熱発泡材４１〜４５は、下框２３の変形に追従するように膨張して隙間７を塞ぐ。なお、下枠５が変形したとき、及び、下框２３と下枠５が共に変形したときにも、第１〜第５加熱発泡材４１〜４５により、隙間７が塞がれる。
【００３７】
以上説明したように、本実施形態の建具１では、火災時に、下枠５に対して開口部２Ａの内方側で、第１〜第５加熱発泡材４１〜４５により、下枠５と障子３の間に発生する隙間７を塞ぐことができる。また、火災に伴い発生する発生物が隙間７を通過して流通するのを抑制でき、建具１の防火性能を向上させることができる。
【００３８】
発泡空間３１に第１〜第５加熱発泡材４１〜４５を配置することで、第１〜第５加熱発泡材４１〜４５を発泡空間３１内に円滑に充填して、隙間７をより確実に塞ぐことができる。対向部材３０に溝部３５を形成することで、加熱発泡材を配置する面積を大きくして、より多くの加熱発泡材を対向部材３０に設けることができる。また、溝部３５内で第１〜第３加熱発泡材４１〜４３を発泡させて、第１〜第３加熱発泡材４１〜４３を溝部３５から障子３に向かって確実に膨張させることができる。
【００３９】
対向部材３０の対向部３２と突出部３３、３４により、加熱発泡材を配置する面積を大きくすることができる。突出部３３、３４により、加熱発泡材の膨張方向を調整できるとともに、加熱発泡材により充填される空間を制限することができる。第１突出部３３を対向部３２の開口部２Ａの内方側に形成するときには、第１突出部３３により、対向部材３０と障子３の間の部分を遮蔽することができる。
【００４０】
対向部３２の開口部２Ａの内方側において、第１突出部３３により、対向部材３０と障子３の間から第１〜第５加熱発泡材４１〜４５が流出するのを抑制することができる。第１突出部３３の対向面３３Ｂに第４加熱発泡材４４を設けることで、第１突出部３３と障子３の間に第４加熱発泡材４４を充填して、対向部材３０と障子３の間の部分の出口を塞ぐことができる。第２突出部３４の対向面３４Ｂに第５加熱発泡材４５を設けることで、第２突出部３４と障子３の間に第５加熱発泡材４５を充填して、より確実に隙間７を覆うことができる。
【００４１】
なお、第１〜第５加熱発泡材４１〜４５の一部を対向部材３０に設けなくてもよい。また、対向部材３０の形状に対応して、１つの加熱発泡材を対向部材３０に設けてもよく、複数の加熱発泡材を対向部材３０に設けてもよい。対向部材３０の長手方向に直交する溝部３５の断面において、溝部３５の内面形状は、溝底面３５Ａと一対の溝壁面３５Ｂ、３５Ｃを有する凹形状に限定されず、他の形状（例えば、湾曲形状、円弧形状、複数の面を有する屈曲形状）であってもよい。加熱発泡材は、各溝部の内面に設けられる。対向部材３０の突出部３３、３４は、板状の突片以外の突出部（例えば、突起、中空状の突出部）であってもよい。第２突出部３４を対向部材３０に設けずに、第１突出部３３のみを対向部材３０に設けるようにしてもよい。
【００４２】
ビス１６以外の取付手段（例えば、係止手段、カシメ）により対向部材３０を下枠５に取り付けてもよく、対向部材３０を下枠５に一体に形成してもよい。対向部材３０を障子３の室内側と室外側の一方に配置してもよく、対向部材３０を障子３の室内側と室外側の両方に配置してもよい。対向部材３０は、建具１の設置場所等に対応して、障子３の室内側と室外側の少なくとも一方に配置される。
【００４３】
本発明は、枠と障子を備えた種々の建具に適用することができる。従って、建具は、外倒し窓に限定されず、他の建具（例えば、すべり出し窓、上げ下げ窓、引き違い窓、開閉窓、固定窓）であってもよい。建具が固定窓であるときには、障子は、枠体の枠に固定される固定障子（例えば、ガラス板、複層ガラス）である。対向部材３０が設けられる枠は、下枠に限定されず、障子が配置される開口部を形成する他の枠（例えば、無目、上枠、縦枠、方立）であってもよい。
【符号の説明】
【００４４】
１・・・建具、２・・・枠体、３・・・障子、４・・・上枠、５・・・下枠、６・・・縦枠、７・・・隙間、１０・・・空間、１１・・・空間、１２・・・空間、１３・・・ＡＴ材、１４・・・ヒンジ、１５・・・開閉機構、１６・・・ビス、２０・・・框体、２１・・・パネル体、２２・・・上框、２３・・・下框、２４・・・縦框、３０・・・対向部材、３１・・・発泡空間、３２・・・対向部、３３・・・第１突出部、３４・・・第２突出部、３５・・・溝部、３６・・・カバー部材、４１・・・第１加熱発泡材、４２・・・第２加熱発泡材、４３・・・第３加熱発泡材、４４・・・第４加熱発泡材、４５・・・第５加熱発泡材、４６・・・第６加熱発泡材、４７・・・第７加熱発泡材。
【図１】
2018096117.tif 000003
【図２】
2018096117.tif 000004
【図３】
2018096117.tif 000005
【図４】
2018096117.tif 000006
【図５】
2018096117.tif 000007
【図６】
2018096117.tif 000008
【図７】
2018096117.tif 000009
【図８】
2018096117.tif 000010